Podtech/llm-jp-corpus-v4-ja_patent huggingface dataset:
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
ヒトの末梢血に由来する細胞を含む、インビトロ細胞培養物であって、
該培養物中の該細胞は、
ａ．Ｔｉｅ−２＋またはＶＥＧＦＲ−２＋であり；
ｂ．ＣＤ１４４−およびＣＤ４５＋であり；
ｃ．培養物中で培養することができ；かつ
ｄ．インビボで増殖し、内皮細胞および平滑筋細胞に分化することができる、
インビトロ細胞培養物。
【請求項２】
前記培養物中の前記細胞が、少なくとも２週間生存できることを特徴とする、請求項１に記載の培養物。
【請求項３】
前記培養物中の前記細胞が、少なくとも４週間生存できることを特徴とする、請求項１に記載の培養物。
【請求項４】
前記培養物が付着培養物であることを特徴とする、請求項１に記載の培養物。
【請求項５】
インビボで内皮細胞または平滑筋細胞に分化するヒト前駆細胞の集団を生成する方法であって、
ヒト末梢血由来の細胞の集団からＣＤ１４４−、ＣＤ４５＋、およびＴｉｅ−２＋またはＶＥＧＦＲ−２＋である細胞を選択する工程
を包含する、方法。
【請求項６】
多能性前駆細胞を被験体に移植するための組成物であって、
多能性のヒトＣＤ１４４−、ＣＤ４５＋、およびＴｉｅ−２＋またはＶＥＧＦＲ−２＋前駆細胞を含むインビトロ細胞培養物
を含み、該細胞はインビボで内皮細胞または平滑筋細胞に分化する多能性を維持していることを特徴とする、組成物。
【請求項７】
前記被験体が血管障害に罹患していることを特徴とする、請求項６に記載の組成物。
【請求項８】
被験体において損傷した血管を再増殖させるための組成物であって、
多能性のヒトＣＤ１４４−、ＣＤ４５＋、およびＴｉｅ−２＋またはＶＥＧＦＲ−２＋前駆細胞の集団
を含み、該細胞はインビボで内皮細胞または平滑筋細胞に分化する多能性を維持していることを特徴とする、組成物。
【請求項９】
血管に直接投与されることを特徴とする、請求項８に記載の組成物。
【請求項１０】
動脈床に直接投与されることを特徴とする、請求項８に記載の組成物。
【請求項１１】
前記血管が静脈または動脈であることを特徴とする、請求項８に記載の組成物。
【請求項１２】
前記被験体が血管障害に罹患していることを特徴とする、請求項８に記載の組成物。
【請求項１３】
血管移植片を内皮細胞化させるための組成物であって、
多能性のヒトＣＤ１４４−、ＣＤ４５＋、およびＴｉｅ−２＋またはＶＥＧＦＲ−２＋前駆細胞の集団
を含み、該細胞はインビボで内皮細胞または平滑筋細胞に分化する多能性を維持していることを特徴とする、組成物。
【請求項１４】
前記移植片が人工血管移植片であることを特徴とする、請求項１３に記載の組成物。
【請求項１５】
前記移植片が同種移植片であることを特徴とする、請求項１３に記載の組成物。
【請求項１６】
前記移植片が同系移植片であることを特徴とする、請求項１３に記載の組成物。
【請求項１７】
前記血管移植片とインビトロ、インビボ、またはエキソビボで接触させられることを特徴とする、請求項１３に記載の組成物。
【請求項１８】
被験体への移植の前に前記血管移植片と接触させられることを特徴とする、請求項１３に記載の組成物。
【請求項１９】
被験体への移植の後に前記血管移植片と接触させられることを特徴とする、請求項１３に記載の組成物。
【請求項２０】
前記血管移植片が静脈または動脈であることを特徴とする、請求項１３に記載の組成物。
【請求項２１】
ヒトの末梢血由来の細胞を含むインビトロ細胞培養物であって、
該培養物中の該細胞は、
ａ．ＶＥＧＦＲ−２＋；ＣＤ１４＋、ＣＤ１４４−、およびＣＤ４５＋であり；
ｂ．培養物中で培養することができ；かつ
ｃ．インビボで増殖し、内皮細胞に分化することができる、
インビトロ細胞培養物。
【請求項２２】
前記培養物中の前記細胞が、少なくとも２週間生存できることを特徴とする、請求項２１に記載の培養物。
【請求項２３】
前記培養物中の前記細胞が、少なくとも４週間生存できることを特徴とする、請求項２１に記載の培養物。
【請求項２４】
前記培養物が付着培養物であることを特徴とする、請求項２１に記載の培養物。
【請求項２５】
インビボで内皮細胞に分化するヒト前駆細胞の集団を生成する方法であって、
ヒト末梢血由来の細胞の集団からＣＤ１４４−、ＣＤ４５＋、ＣＤ１４＋、およびＶＥＧＦＲ−２＋である細胞を選択する工程
を包含する、方法。
【請求項２６】
前駆細胞を被験体に移植するための組成物であって、
ヒトＣＤ１４４−、ＣＤ４５＋、ＣＤ１４＋、およびＶＥＧＦＲ−２＋前駆細胞を含むインビトロ細胞培養物
を含み、該細胞はインビボで内皮細胞に分化する能力を維持していることを特徴とする、組成物。
【請求項２７】
前記被験体が血管障害に罹患していることを特徴とする、請求項２６に記載の組成物。
【請求項２８】
被験体の損傷した血管を再増殖させるための組成物であって、
ヒトＣＤ１４４−、ＣＤ４５＋、ＣＤ１４＋、およびＶＥＧＦＲ−２＋前駆細胞の集団
を含み、該細胞はインビボで内皮細胞に分化する能力を維持していることを特徴とする、組成物。
【請求項２９】
血管に直接投与されることを特徴とする、請求項２８に記載の組成物。
【請求項３０】
動脈床に直接投与されることを特徴とする、請求項２８に記載の組成物。
【請求項３１】
前記血管が静脈または動脈であることを特徴とする、請求項２８に記載の組成物。
【請求項３２】
前記被験体が血管障害に罹患していることを特徴とする、請求項２８に記載の組成物。
【請求項３３】
血管移植片を内皮細胞化させるための組成物であって、
多能性のヒトＣＤ１４４−、ＣＤ４５＋、ＣＤ１４＋、およびＶＥＧＦＲ−２＋前駆細胞の集団
を含み、該細胞はインビボで内皮細胞に分化する能力を維持していることを特徴とする、組成物。
【請求項３４】
前記移植片が人工血管移植片であることを特徴とする、請求項３３に記載の組成物。
【請求項３５】
前記移植片が同種移植片であることを特徴とする、請求項３３に記載の組成物。
【請求項３６】
前記移植片が同系移植片であることを特徴とする、請求項３３に記載の組成物。
【請求項３７】
前記血管移植片とインビトロ、インビボ、またはエキソビボで接触させられることを特徴とする、請求項３３に記載の組成物。
【請求項３８】
被験体への移植の前に前記血管移植片と接触させられることを特徴とする、請求項３３に記載の組成物。
【請求項３９】
被験体への移植の後に前記血管移植片と接触させられることを特徴とする、請求項３３に記載の組成物。
【請求項４０】
前記血管移植片が静脈または動脈であることを特徴とする、請求項３３に記載の組成物。
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
適切な産生細胞およびこれらの細胞によって産生された細胞外マトリックスを含む生体細胞産生三次元構築物であって、
該構築物は、成長し、そして該構築物へ組み込まれるさらなる細胞とともに播種され；
該構築物は、該産生細胞によって完全に産生され、そして配列され；
該構築物は、産生細胞および播種細胞のための機械的支持を提供し；
該構築物は、産生細胞および播種細胞の発達のためのきっかけを提供し；
さらに該構築物は、該さらなる細胞が播種される前に、少なくとも１００μｍの厚さおよび少なくとも２００キロパスカルの抗張力を有する、構築物。
【請求項２】
少なくとも約０．２の破断歪を有する、請求項１に記載の構築物。
【請求項３】
前記細胞外マトリックスが、適切な細胞を超密集で播種し、そして該細胞を過剰密集条件下で維持することによって産生される、請求項１に記載の構築物。
【請求項４】
前記適切な細胞が、線維芽細胞を含み、そして線維芽細胞オートジェネシス生体足場培地培地を与えられる、請求項３に記載の構築物。
【請求項５】
前記適切な細胞が、結合組織由来の細胞を含む接着依存性細胞であり、足場がインビボ３Ｄ結合組織に類似する、請求項１、２、３または４のいずれか１項に記載の構築物。
【請求項６】
前記適切な細胞が、線維芽細胞、筋線維芽細胞、間質細胞、内皮細胞、またはインビトロで細胞外マトリックスを産生する任意の他の細胞型のうちのいずれかであり得る、請求項１、２、３または４のいずれか１項に記載の構築物。
【請求項７】
前記細胞が、約１，０００細胞／ｍｍ３から約２００，０００細胞／ｍｍ３を超える密度で維持される、請求項１、２、３または４のいずれか１項に記載の構築物。
【請求項８】
前記足場が、さらなる細胞、組織、またはこれらの組み合わせをさらに含む、請求項１に記載の構築物。
【請求項９】
オートジェネシス生体足場である、請求項１または請求項８のいずれか１項に記載の構築物。
【請求項１０】
生体組織マトリックスである、請求項１または請求項８のいずれか１項に記載の構築物。
【請求項１１】
インビボまたはインビトロで前記構築物内にあるかまたは該構築物と接触している細胞または組織の分化、脱分化、分化転換、またはこれらの任意の組み合わせのいずれかを促進する、請求項１または請求項８のいずれか１項に記載の構築物。
【請求項１２】
インビボまたはインビトロで前記構築物内にあるかまたは該構築物と接触している細胞の成長、増殖、移動、および／もしくはインビボ様形態の獲得、またはその任意の組み合わせのいずれかを促進する、請求項１または請求項８のいずれか１項に記載の構築物。
【請求項１３】
前記ＬＴＭ内の線維芽細胞が、サイトカラシンＢが補充された神経培地にＬＴＭを数時間から数日間配置し、その後に該ＬＴＭを新鮮な神経培地に配置することによって、ニューロンに分化転換される、請求項１０に記載の生体組織マトリックス。
【請求項１４】
前記構築物が、エキソビボ細胞産生組織である、請求項１、２、３、４または８のいずれか１項に記載の構築物。
【請求項１５】
前記さらなる細胞、組織、またはこれらの組み合わせが、幹細胞、先祖細胞、前駆細胞；結合組織、上皮、筋肉、神経、または腺起源の細胞または組織；ならびに神経芽細胞腫細胞、筋芽細胞、星状細胞、心筋細胞、骨格筋の筋芽細胞、肝細胞、軟骨細胞、骨芽細胞、線維芽細胞、ケラチノサイト、シュワン細胞、神経細胞、グリア細胞、上皮細胞、内皮細胞、平滑筋細胞、骨格筋細胞、心筋細胞、間質細胞、メサンギウム細胞、間葉細胞、造血細胞、樹状細胞、免疫系細胞、神経組織、肝臓組織、大動脈組織、静脈組織、毛細管組織、軟骨、骨、筋肉、腺、および毛包を含む、脈管器官および／または非脈管器官起源の細胞を含み得る、請求項１，２、３、４または８のいずれか１項に記載の構築物。
【請求項１６】
前記構築物が、機械的支持、構造的支持、栄養的支持、発達の支持、損傷修復のための支持を提供するか、あるいは細胞、組織、器官、またはこれらの組み合わせの成長または再生を支持する、請求項１、２、３、４または８のいずれか１項に記載の構築物。
【請求項１７】
前記構築物が、移植部位および該移植部位の免疫系活性の程度に依存して、接触から約３６時間以内に該移植部位に結合し始め、数日間、数週間、または数ヶ月間結合し続ける、請求項１、２、３、４または８のいずれか１項に記載の構築物。
【請求項１８】
前記構築物がニューロン細胞を含む、請求項１、２、３、４または８のいずれか１項に記載の構築物。
【請求項１９】
前記神経細胞の寿命が、前記構築物の非存在下の神経細胞と比較して少なくとも約２倍延長される、請求項１８に記載の構築物。
【請求項２０】
前記ニューロン細胞の脆弱性が、前記構築物の非存在下の神経細胞と比較して減少する、請求項１８に記載の構築物。
【請求項２１】
適切な産生細胞およびこれらの細胞によって産生された細胞外マトリックスを含む生体細胞産生三次元構築物であって、
該細胞の一部は改変されており；
該構築物は、該産生細胞によって完全に産生および並べられ；
該構築物は、該細胞のための機械的支持を提供し；
該構築物は、産生細胞および播種細胞の発達のためのきっかけを提供し；
さらに該構築物は、該細胞が改変される前に、少なくとも１００μｍの厚さおよび少なくとも２００キロパスカルの抗張力を有する、構築物。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
手術器具（１５）により、患者（６）の内部器官に対して与えられる力を測定する測定手段（１０、１７、１９）を含むことを特徴とする、前記手術器具（１５）を通すためのトロカール装置（９）。
【請求項２】
前記測定手段が、少なくとも１つの荷重トランスデューサ（１０、１９）の形を取ることを特徴とする、請求項１記載のトロカール装置。
【請求項３】
前記荷重トランスデューサ（１０、１９）が、前記トロカール（９）上に配置されていることを特徴とする、請求項２記載のトロカール装置。
【請求項４】
前記荷重トランスデューサ（１０、１９）が、中央オリフィス（１１、２０）を有するローラの形を取ることを特徴とする、請求項２又は３記載のトロカール装置。
【請求項５】
前記荷重トランスデューサ（１０、１９）が、前記トロカール（９）と、ガイド（１２）との間に配置されていることを特徴とする、請求項２〜４いずれか記載のトロカール装置。
【請求項６】
前記ガイド（１２）が、縦軸（X-X）を有する管状部材（１３）の形を取り、一端において、縦軸（X-X）に対して垂直である円板（１４）を有することを特徴とする、請求項５記載のトロカール装置。
【請求項７】
前記ガイド（１２）が、前記荷重トランスデューサ（１０、１９）の前記中央オリフィス（１１、２０）および前記トロカール装置（９）に挿入されることを特徴とする、請求項５又は６記載のトロカール装置。
【請求項８】
前記器具（１５）が、自動アーム（７）により動かされることを特徴とする、請求項１〜７いずれか記載のトロカール装置。
【請求項９】
第２の荷重トランスデューサ（１７）が、前記自動アーム（７）の端部（１６）と、前記手術器具（１５）との間に配置されることを特徴とする、請求項８記載のトロカール装置。
【請求項１０】
前記器具（１５）は、移動機構（２１）により動かされることを特徴とする、請求項１〜７いずれか記載のトロカール装置。
【請求項１１】
前記移動機構（２１）が、前記ガイド（１２）上に配置されることを特徴とする、請求項１０又は１１記載のトロカール装置。
【請求項１２】
前記移動機構（２１）が、ローラ型の移動機構であることを特徴とする、請求項１０記載のトロカール装置。
【請求項１３】
自動アーム（７）の端部（１６）により動かされることを特徴とする、請求項１０〜１２いずれか記載のトロカール装置。
【請求項１４】
前記自動アーム（７）の移動が、インターフェイス（２）から制御されることを特徴とする、請求項８、９又は１３記載のトロカール装置。
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
橈骨の近位端を置換するためのプロテーゼであって、
前記橈骨のボア内に受け入れられるように構成されたステムを含む本体構成要素と、
前記本体構成要素に取り付けられるように構成され、かつ前記橈骨に隣接する上腕骨及び尺骨と関節をなすように構成されたヘッドを含むヘッド構成要素であって、前記ヘッド構成要素は遠位平面を規定する遠位面及び近位平面を規定する近位面を含み、前記近位平面は前記遠位平面に対する平行面から固定角度だけ傾斜している、前記ヘッド構成要素と、を備えるプロテーゼ。
【請求項２】
前記近位平面が前記遠位平面に対する平行面から略２°〜１５°傾斜している、請求項１に記載のプロテーゼ。
【請求項３】
前記本体構成要素が前記ステムの近位に配置されたカラーを有し、及び
前記ヘッド構成要素の遠位端及び前記カラーの近位端は、前記ヘッド構成要素が前記本体構成要素に取り付けられるときに協働して実質的に連続的な輪郭を形成する略同一直径を有する、請求項１に記載のプロテーゼ。
【請求項４】
前記本体構成要素が前記ステムの近位に配置され、かつ前記橈骨の表面に当接するように構成されたカラーを有し、
前記カラーが、近位面領域を有し、
前記カラーが、凹形プロファイル及び幅を有し、
前記カラーの前記幅が、前記橈骨の表面の幅に少なくとも実質的に一致するように構成されている、請求項１に記載のプロテーゼ。
【請求項５】
前記ヘッド構成要素が、前記橈骨に隣接する尺骨と関節をなすように構成された表面領域を備え、
前記表面領域が、少なくとも実質的に線形のプロファイルを有し、かつ前記ステムに向かって先細になっている、請求項１に記載のプロテーゼ。
【請求項６】
前記尺骨と関節をなすように構成された前記表面領域は、前記ヘッド構成要素の周りの部分的延長部の中点を規定すべく該ヘッド構成要素の周りで部分的にのみ延在し、及び
前記表面領域は、該表面領域が前記中点から前記ヘッド構成要素の周りの方向に延在するにつれて先細になっている、請求項５に記載のプロテーゼ。
【請求項７】
前記ヘッド構成要素が、右橈骨頭又は左橈骨頭の両方ではなくいずれかを置換するように構成されている、請求項１に記載のプロテーゼ。
【請求項８】
前記ヘッド構成要素が、内側、外側、前側、及び後側表面領域を画成する側壁を備え、
前記近位平面が、前記内側及び外側表面領域に対して略垂直な軸線の回り、及び前記前側及び後側表面領域に対して略垂直な別の軸線の回りで、前記遠位平面に対する平行面から固定された所定の量だけ傾斜している、請求項１に記載のプロテーゼ。
【請求項９】
前記近位平面が、前記内側及び後側表面領域に向かって傾けられている、請求項８に記載のプロテーゼ。
【請求項１０】
前記本体構成要素が、前記ステムの近位に配置されたカラーを有し、及び
前記カラーは、前記ステムに向かって先細になっている、請求項１に記載のプロテーゼ。
【請求項１１】
前記ヘッド構成要素が、それぞれの内側及び外側プロファイルを規定すべく、それぞれ、内側及び外側に配置されるように構成された、対向する側部表面領域を含み、及び
前記外側プロファイルは前記内側プロファイルよりも更に湾曲している、請求項１に記載のプロテーゼ。
【請求項１２】
橈骨の近位端を置換するためのプロテーゼであって、
橈骨のボア内に受け入れられるように構成されたステムを含む本体構成要素と、
前記本体構成要素と組み立てるように構成され、かつ前記橈骨に隣接する上腕骨及び尺骨と関節をなすように構成されたヘッドを含むヘッド構成要素と、を備え、
前記ヘッド構成要素が、対向する近位及び遠位端と、前記近位及び遠位端の間に配置され、かつ前記ヘッド構成要素の周りに延在する側壁と、を含み、
前記側壁の内側表面領域が内側プロファイルを作り出し、
前記側壁の外側表面領域が外側プロファイルを作り出し、
前記内側及び外側プロファイルが互いに対して非対称であり、及び
前記外側プロファイルが、凸状の近位領域及び凹状の遠位領域を含むプロテーゼ。
【請求項１３】
前記外側プロファイルが、前記内側プロファイルよりも更に湾曲している、請求項１２に記載のプロテーゼ。
【請求項１４】
前記内側プロファイルが、少なくとも実質的に凸状である、請求項１２に記載のプロテーゼ。
【請求項１５】
前記ヘッド構成要素が、前記内側表面領域に対して略垂直に見たときに非対称なプロファイルを有する、請求項１２に記載のプロテーゼ。
【請求項１６】
橈骨の端部を置換するためのキットであって、
２つ以上の本体構成要素であって、前記各本体構成要素が、ステム及び前記ステムに近位配置されたカラーを有し、前記ステムは長軸を画成し、かつ前記橈骨のボア内に受け入れられるように寸法決めされ、前記カラーは、前記橈骨の前記ボア内に前記カラーが入ることを制限するように寸法決めされ、前記各本体構成要素は前記長軸に対して平行に測定された異なる特徴的寸法を有するカラーを含む、前記２つ以上の本体構成要素と、
前記橈骨に隣接する上腕骨小頭と関節をなすように構成されたヘッド構成要素であって、前記ステムからの前記ヘッド構成要素の間隔を、前記ヘッド構成要素がそれと共に組み立てられる前記本体構成要素に従って変えることができるよう、前記各本体構成要素と個別に組み立てられるように構成された前記ヘッド構成要素と、を備えるキット。
【請求項１７】
前記本体構成要素のそれぞれが一体である、請求項１６に記載のキット。
【請求項１８】
前記２つ以上の本体構成要素のそれぞれが、前記ヘッド構成要素を前記本体構成要素に取り付けるように構成され、かつ前記カラーに近位配置された取付構造を含む、請求項１６に記載のキット。
【請求項１９】
前記ヘッド構成要素と組み立てられるように構成され、かつカラーを有さない少なくとも１つの他の本体構成要素を更に備える、請求項１６に記載のキット。
【請求項２０】
前記ヘッド構成要素が、近位平面を規定する近位表面を含み、及び
前記ヘッド構成要素が前記本体構成要素と組み立てられるときに長軸に対する垂線から傾斜している、請求項１６に記載のキット。
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
各々単一のローカルキャラクタに結びつけられ、（ｉ）ローカルキャラクタ対話データ、（ｉｉ）少なくとも１つのローカルキャラクタ画像および（ｉｉｉ）ローカルキャラクタ画像シーケンスを有する、複数の対話型表示デバイスを備えるシステムにおいて、各前記表示デバイスが、
ａ）  ディスプレイと、
ｂ）  前記ローカルキャラクタ対話データと、前記ローカルキャラクタ画像と、キャラクタを描写する画像コンテンツと、前記ローカルキャラクタ画像シーケンスと、が記憶されている不揮発性メモリと、
ｃ）  前記複数の対話型ディスプレイデバイスのうちのもう一方の対話型ディスプレイデバイスに対話データを送信し、また該もう一方の対話型ディスプレイデバイスから対話データを受信する通信回路と、
ｄ）  （ｉ）受信した対話データに少なくとも部分的に基づいて修正された対話データを決定し、（ｉｉ）その修正された対話データおよび記憶された画像コンテンツに少なくとも部分的に基づいて組合せたキャラクタ画像シーケンスを形成し、（ｉｉｉ）前記ディスプレイにその組合せたキャラクタ画像シーケンスを提示させ、かつ（ｉｖ）前記不揮発性メモリ内に前記修正された対話データを記憶するディスプレイコントローラと、
を含んでなるシステム。
【請求項２】
複数の対話型表示デバイスであって、その各々が少なくとも、
画像を形成する能力をもつディスプレイ、および内部に記憶されたキャラクタデータを有する不揮発性メモリと、
少なくとも１つのキャラクタ画像供給源と、
少なくとも１つの対話データ供給源と、
前記複数の対話型表示デバイス間で対話データを交換する通信回路と、
前記複数の表示デバイスの各々について修正された対話データを決定し、その対話型表示デバイスについて決定された前記修正された対話データに基づいて、各対話型表示デバイス上で提示するため前記キャラクタ画像供給源内のキャラクタ画像の少なくとも１つを選択し、かつその対話型表示デバイスに連係するディスプレイ上で、各前記対話型表示デバイスのために選択された前記キャラクタ画像を提示させるディスプレイコントローラと、
を有するような、複数の対話型表示デバイスを含んでなる対話型表示システムにおいて、
前記ディスプレイコントローラがさらに、前記修正された対話データを前記不揮発性メモリに記憶させる対話型表示システム。
【請求項３】
（ａ）それぞれのローカルキャラクタと結びつけられた複数の独立した電子回路、（ｂ）ローカルキャラクタ対話データ、（ｃ）不揮発性メモリ内に記憶された少なくとも１つの画像および画像シーケンス、（ｄ）ディスプレイ、（ｅ）対話データを、もう一方の独立した電子回路へ送信し、またこの電子回路から受信するようにされた通信回路、（ｆ）まず最初に２つの独立した電子回路からの対話データを組合せる修正された対話データを決定し、次に前記ローカルキャラクタおよび遠隔キャラクタから画像を組合せる画像シーケンスを形成し、さらに組合せた画像シーケンスを表示し、かつ不揮発性メモリ内に修正された対話データを記憶するようにされたディスプレイコントローラ、を備える対話型ディスプレイシステムを動作させる方法において、
遠隔キャラクタ対話データが内部に記憶されている複数の独立した電子回路のうちのもう一方の電子回路を検出するために、ローカルキャラクタ対話データを有する複数の独立した電子回路のうちの１つを使用する段階と、
前記複数の独立した電子回路のうちの前記１つにより、該複数の独立した電子回路のうちのもう一方の回路から、遠隔対話データを受信する段階と、
前記一方のおよび前記もう一方の独立した電子回路からのローカル対話データおよび遠隔対話データを組合せることにより、修正された対話データを決定する段階と、
前記ローカルキャラクタおよび遠隔キャラクタから画像を組合せることにより、画像シーケンスを形成しかつ表示する段階と、
前記不揮発性メモリに修正された対話データを記憶する段階と、
を有してなる方法。
【手続補正２】
【補正対象書類名】明細書
【補正対象項目名】００５１
【補正方法】変更
【補正の内容】
【００５１】
この例のために、後者の実施形態が使用される。両方のキャラクタについてのステータスが０レベルを上回っていることから、もう１ラウンド対話が起こることになり、プロセスは、対話データを交換する段階（ステップ１０２）そして対話データを用いて修正された対話データを決定する段階（ステップ１０４）にまで戻る。この例において、第２ラウンドの対話の結果として、対話内の各キャラクタのステータスが１レベルだけ削減された場合には、対話型表示デバイス８ａに連係するキャラクタのステータスレベルは０レベルまで削減され、対話型表示デバイス８ｂに連係するキャラクタのステータスレベルは２レベルまで削減される。したがって、このことが起こっている図９ａに示されているように、ディスプレイドライバ１４ａは不揮発性メモリ１２ａから画像７８ａを得、この画像をディスプレイ１０ａ上に提示させる（ステップ１０６）。同様にして、図９ｂに示されているように、ディスプレイドライバ１４ｂは、不揮発性メモリ１２から画像７４ｂを得、この画像をディスプレイ１０ｂ上に提示させる（ステップ１０６）。かかる画像は、例えば再プログラミングまたは後続する対話の結果としてさらなる修正されたステータスが決定されるまで、提示され続ける。
【手続補正３】
【補正対象書類名】図面
【補正対象項目名】図６
【補正方法】変更
【補正の内容】
【図６】
2007528265.tif 000001
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
剃毛カミソリであって、
前面に主ガードを有し、後部の上面に主キャップを有し、前記主ガードと前記主キャップとの間に１枚以上の主剃毛ブレードを有するハウジングと、
前記ハウジングの後部に取り付けられ前記上面から離れた方を向くトリムブレード刃先を有するトリムブレードと、
前記ハウジングに固定される第１端部を有する細長いハンドルと、
を備え、
前記ハンドルが、前記第１端部において、前記主ブレードと同じ側に指パッドを有する、剃毛カミソリ。
【請求項２】
前記ハンドルが前記第１端部において２つの部分に分岐しており、前記２つの部分の間に領域が存在しており、この領域は、前記指パッドへのアクセスを提供するよう配置されている、請求項１に記載の剃毛カミソリ。
【請求項３】
前記指パッドがエラストマー材で作られている、請求項１に記載の剃毛カミソリ。
【請求項４】
前記ハンドルが、前記指パッドへのアクセスを提供するよう配置された、取り除かれることにより形成された表面を有する、請求項１に記載の剃毛カミソリ。
【請求項５】
前記主剃毛ブレードは３枚以上である、請求項１に記載の剃毛カミソリ。
【請求項６】
前記主剃毛ブレードは４枚以上である、請求項１に記載の剃毛カミソリ。
【請求項７】
前記主剃毛ブレードは５枚以上である、請求項１に記載の剃毛カミソリ。
【請求項８】
前記ハウジングが、トリムブレードが毛を切るときに前記ハウジングが旋回するのを防ぐための休止時停止位置を有する連結部によって、前記ハンドルに枢結されている、請求項１に記載の剃毛カミソリ。
【請求項９】
前記ハンドルが、前記第１端部において、前記主ブレードと同じ側がくぼんでいるカーブを有する、請求項１に記載の剃毛カミソリ。
【請求項１０】
前記指パッドの形状は楕円形となっている、請求項１に記載の剃毛カミソリ。
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
組成物用の送達システムであって、前記システムが容器を備え、前記容器が、
第１のチャンバを有する外側ハウジング、
前記組成物の第１の成分の第１の塊であって、前記第１のチャンバに収容され、前記第１の成分が液体である第１の塊、
前記第１の塊を前記第１のチャンバ内に密封するように、前記外側ハウジングと内側ハウジングの間に締り嵌めが存在するように第１の位置で前記第１のチャンバに収容される内側ハウジングであって、第２のチャンバを有し、前記第２のチャンバの側壁に孔を有する内側ハウジングであり、前記第２のチャンバが底壁および側壁を有する内側ハウジング、
前記組成物の第２の成分の第２の塊であって、前記第２のチャンバに収容され、前記底壁および側壁に適合する第２の塊、および
前記第２の塊を前記第２のチャンバ内に密封する第１のシール、
を備える、送達システム。
【請求項２】
前記容器が、前記外側ハウジングに配置される止め部材を更に備え、前記内側ハウジングと前記止め部材との接触が前記第１の位置で生じる、請求項１に記載の送達システム。
【請求項３】
前記容器が、
前記孔の近位の前記内側ハウジングの外壁に窪み、および
前記孔と前記外側ハウジングの中間の前記窪み内に位置決めされる第２のシール、
を更に備える、請求項１に記載の送達システム。
【請求項４】
アプリケータを更に備える請求項１に記載の送達システムであって、前記アプリケータが、
第１の端部と第２の端部を有する細長い本体であって、第１の周囲寸法を有する細長い本体、
前記本体の前記第１の端部にあるアプリケータ先端部、および
前記第１の端部と前記第２の端部の中間に位置決めされる最も幅の広い箇所を有する突起であって、最も幅の広い箇所の第２の周囲寸法が、前記第１の周囲寸法より大きい突起、
を備える、送達システム。
【請求項５】
第１のチャンバを有する外側ハウジングを提供する工程、
前記第１のチャンバに前記組成物の第１の成分の第１の塊を少なくとも一部充填する工程であって、前記第１の成分が液体である工程、
内側ハウジングが第１の位置に来るまで内側ハウジングを前記第１のチャンバに挿入する工程であって、前記内側ハウジングが前記第１の塊を前記第１のチャンバ内に密封するように、前記外側ハウジングと前記内側ハウジングの間に締り嵌めが存在し、前記内側ハウジングが底壁と側壁を有する第２のチャンバを有し、前記内側ハウジングが前記第２のチャンバの側壁に孔を有する工程、
前記第２のチャンバに前記組成物の第２の成分の第２の塊を少なくとも一部充填する工程であって、前記第２の塊が前記底壁と前記側壁に適合する工程、および
前記第２の塊を前記第２のチャンバ内に密封する工程、
を含む、組成物容器を組み立てる方法。
【請求項６】
前記外側ハウジングが、止め部材を更に備え、前記内側ハウジングを前記第１のチャンバに挿入する工程が、前記内側ハウジングが前記止め部材に接触するまで前記内側ハウジングを前記第１のチャンバの中に摺動させる工程を含む、請求項５に記載の方法。
【請求項７】
組成物を提供する方法であって、
第１のチャンバを有する外側ハウジング、
前記組成物の第１の成分の第１の塊であって、前記第１のチャンバに収容され、前記第１の成分が液体である第１の塊、
前記第１のチャンバに収容される内側ハウジングであって、底壁と側壁を有する第２のチャンバを有し、前記第２のチャンバの側壁に孔を有する内側ハウジング、
前記組成物の第２の成分の第２の塊であって、前記第２のチャンバに収容され、前記底壁および側壁に適合する第２の塊、および
前記第２の塊を前記第２のチャンバ内に密封するシール、
を備える容器を提供する工程、
前記シールを破断する工程、並びに
前記内側ハウジングに力を加え、それによって前記内側ハウジングを前記外側ハウジングに押し込む工程であって、前記力によって生じる圧力が、前記第１の塊を、前記孔を通して前記第２のチャンバに押し込み、前記第２の塊と混合させて前記組成物を形成する工程、
を含む方法。
【請求項８】
シールの向きに実質的に垂直な軸に沿って手の力を使用して破断できるシールを有する容器、並びに
アプリケータであって、
第１の端部と第２の端部を有する細長い本体であって、第１の周囲寸法を有する本体、
前記本体の前記第１の端部にあるアプリケータ先端部、および
前記第１の端部と前記第２の端部の中間に位置決めされる突起であって、第２の周囲寸法が前記第１の周囲寸法より大きい突起、
を備えるアプリケータ、
を備える送達システムであって、
前記アプリケータ先端部で前記軸に沿って前記シールに対して加えられる力が、前記シールを破断するのに十分であり、その結果、破断されたシールの破片が得られ、前記アプリケータを前記容器に挿入することにより、前記突起が前記破断されたシールの破片と接触し、それによって、前記破断されたシールの破片を押しやり前記軸から離す、送達システム。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
以下の構造を有する化合物： 
5'（N）x-Z3'（アンチセンス鎖）
3'Z'-（N’）y5'（センス鎖）
式中、それぞれのNおよびN’は、その糖残基が修飾されていても、または修飾されていなくてもよいリボヌクレオチドであり、かつ（N）xおよび（N’）yは、それぞれの連続したNまたはN’が、共有結合によって次のNまたはN’に連結されているオリゴマーであり；
式中、それぞれのxおよびyは、19〜40の間の整数であり；
式中、それぞれのZおよびZ’は、存在しても、または存在しなくてもよいが、存在する場合、dTdTであり、かつそれが存在する鎖の3'末端にて共有結合で付着されており；および、
式中、（N）xの配列は、配列番号：21〜38、192〜344および381〜416に記載した配列のいずれか1つを含む。
【請求項２】
前記共有結合がホスホジエステル結合である、請求項1に記載の化合物。
【請求項３】
x=yである、請求項2に記載の化合物。
【請求項４】
x=y=19である、請求項3に記載の化合物。
【請求項５】
ZおよびZ’が両方とも存在しない、請求項1、2、3または4に記載の化合物。
【請求項６】
ZまたはZ’のうちの1つが存在する、請求項1、2、3または4に記載の化合物。
【請求項７】
前記リボヌクレオチドの全てにおいて、これらの糖残基が修飾されていない、請求項1〜6のいずれか1項に記載に記載の化合物。
【請求項８】
少なくとも１つのリボヌクレオチドにおいて、その糖残基が修飾されている、請求項1〜6のいずれか1項に記載に記載の化合物。
【請求項９】
前記糖残基の修飾が、2’位における修飾を含む、請求項8に記載の化合物。
【請求項１０】
前記2’位の修飾により、アミノ基、フルオロ基、メトキシ基、アルコキシ基およびアルキル基を含む群から選択される部分が存在することとなる、請求項9に記載の化合物。
【請求項１１】
前記2’位の部分が、メトキシ（2’-0-メチル）である、請求項10に記載の化合物。
【請求項１２】
交互に現れるリボヌクレオチドが、アンチセンス鎖およびセンス鎖において修飾されている、請求項1〜6または8〜11のいずれか1項に記載に記載の化合物。
【請求項１３】
請求項1〜6または8〜12のいずれか1項に記載の化合物であって、前記アンチセンス鎖の5'および3'末端の前記リボヌクレオチドは、これらの糖残基が修飾されており、かつ前記センス鎖の5'および3'末端の前記リボヌクレオチドは、これらの糖残基が修飾されていない化合物。
【請求項１４】
ヒトTGaseIIを阻害するために有効な量の請求項1〜13のいずれか1項に記載の化合物とキャリアとを含む組成物。
【請求項１５】
線維症または線維症関連病態またはTGaseIIを経た細胞タンパク質の異常な架橋に関連した病態に罹患した患者を治療するための組成物の調製のための、ヒトTGaseIIの発現を阻害するsiRNAの治療的に有効な用量の使用。
【請求項１６】
前記siRNAが、請求項1〜13のいずれか1項に記載の化合物を含む、請求項15記載の方法。
【請求項１７】
前記線維症関連病態が、腎臓線維症、肝臓線維症、肺線維症または眼の瘢痕である、請求項15または16記載の方法。
【請求項１８】
前記線維症関連病態が、眼疾患、特に白内障、心臓血管疾患、特に心肥大、アテローム性動脈硬化症／再狭窄、神経系疾患、封入ポリグルタミン疾患、球脊髄性筋肉萎縮症、歯状核赤核-淡蒼球ルイ体萎縮症、脊髄小脳失調（SCA）1、2、3、6、7および17、アルツハイマー病またはパーキンソン病のいずれか一つである、請求項15〜17記載の方法。
【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
シリコンウエハ上に形成した一体型光−電子シリコン−オン−インシュレータ（ＳＯＩ）−ベース構造に用いるウエハ−レベルテスト配列において：
前記シリコンウエハの先端主表面に取り外し可能に接触させる光−電子テストエレメントであって、
少なくとも一の光テスト信号を前記ＳＯＩ−ベース構造の方向に向ける少となくとも一の光入力信号路と；
テストされる前記光−電子ＳＯＩ−ベース構造の表面上の複数のボンドパッドとパターンが合致するように配置され、テストされる前記光−電子ＳＯＩ−ベース構造にエネルギィを与え、テストされる前記光−電子ＳＯＩ−ベース構造へ電気テスト信号を提供し、テストされる前記光−電子ＳＯＩ−ベース構造からの電気応答信号を提供する複数の電気テストピンと；
を具える光−電子テストエレメントと；
光−電子テストエレメントと、テストされる特定の前記光−電子ＳＯＩ−ベース構造の表面との間に配置した光カップリング特徴であって、前記テストされる特定の前記光−電子ＳＯＩ−ベース構造内に光テスト信号をカップリングする光カップリング特徴と；
を具えることを特徴とするウエハ−レベルテスト配列。
【請求項２】
請求項１に記載のウエハ−レベルテスト配列において、前記少なくとも一の光ファイバが、光ファイバアレイを具え、各ファイバが異なる光テスト信号を供給できることを特徴とするウエハ−レベルテスト配列。
【請求項３】
請求項１に記載のウエハ−レベルテスト配列において、前記少なくとも一の光ファイバが少なくとも一のレンズ付光ファイバを具えることを特徴とするウエハ−レベルテスト配列。
【請求項４】
請求項１に記載のウエハ−レベルテスト配列において、前記配列が更に：
少なくとも一の光テスト信号の波長を調整するチューニングエレメント；
を具えることを特徴とするウエハ−レベルテスト配列。
【請求項５】
請求項１に記載のウエハ−レベルテスト配列において、前記光−電子テストエレメントが更に：
前記少なくとも一の光入力信号路と前記テストされる光−電子構造の先端主表面との間に光の方向／フォーカッシングを提供するビーム操縦／形成光学部品；
を具えることを特徴とするウエハ−レベルテスト配列。
【請求項６】
請求項５に記載のウエハ−レベルテスト配列において、前記光−電子テストエレメントビーム操縦／形成光学部品が、電子的に制御可能な可動ミラーを具えることを特徴とするウエハ−レベルテスト配列。
【請求項７】
請求項５に記載のウエハ−レベルテスト配列において、前記光−電子テストエレメントビーム操縦／形成光学部品が、偏光制御エレメントと、半波長板を具え、入力光テスト信号に偏光制御を提供することを特徴とするウエハ−レベルテスト配列。
【請求項８】
請求項５に記載のウエハ−レベルテスト配列において、前記配列が更に：
前記シリコンウエハの表面に対する前記光信号の位置決めを調節するために前記ＳＯＩ構造と前記ビーム操縦／形成光学部品との間に配置したフィードバック成分；
を具えることを特徴とするウエハ−レベルテスト配列。
【請求項９】
請求項１に記載のウエハ−レベルテスト配列において、前記配列が更に：
前記光テスト入力信号の波長を調節して改善されたカップリング効率を提供するために、前記ＳＯＩ構造と前記光入力信号路との間に配置したフィードバック成分；
を具えることを特徴とするウエハ−レベルテスト配列。
【請求項１０】
請求項１に記載のウエハ−レベルテスト配列において、前記光信号路が、偏波保持ファイバ、シングルモード光ファイバ、レンズ付偏波保持シングルモードファイバ、およびレンズ付シングルモードファイバからなる群から選択された導波管構造を具えることを特徴とするウエハ−レベルテスト配列。
【請求項１１】
請求項１に記載のウエハ−レベルテスト配列において、前記光カップリング特徴が、前記ＳＯＩ構造の前記先端主表面の選択された領域の上に配置されたエバネッセントカップリング層を具え、当該エバネッセントカップリング層が、シリコンの屈折率より低い屈折率を示すことを特徴とするウエハ−レベルテスト配列。
【請求項１２】
請求項１に記載のウエハ−レベルテスト配列において、前記光カップリング特徴が、所定の入力光カップリング位置に配置された少なくとも一の光カップリングプリズムを具え、前記ＳＯＩ構造にエバネッセントカップリングを提供することを特徴とするウエハ−レベルテスト配列。
【請求項１３】
請求項１に記載のウエハ−レベルテスト配列において、前記光カップリング特徴が、前記ＳＯＩ構造内の所定の入力光カップリング位置に形成した少なくとも一の光グレーティングを具えることを特徴とするウエハ−レベルテスト配列。
【請求項１４】
請求項１に記載のウエハ−レベルテスト配列において、前記光−電子テストエレメントが更に、少なくとも一の光テスト応答信号を受信する少なくとも一の光出力信号路を具えることを特徴とするウエハ−レベルテスト配列。
【請求項１５】
請求項１４に記載のウエハ−レベルテスト配列において、前記光カップリング特徴が更に、所定の出力光カップリング位置に配置した少なくとも一の光カップリングプリズムを具えることを特徴とするウエハ−レベルテスト配列。
【請求項１６】
請求項１４に記載のウエハ−レベルテスト配列において、前記光カップリング特徴が更に、所定の出力光カップリング位置において前記ＳＯＩ構造内に形成した少なくとも一の光グレーティングを具えることを特徴とするウエハ−レベルテスト配列。
【請求項１７】
請求項１４に記載のウエハ−レベルテスト配列において、前記少なくとも一の光出力信号路が、偏波保持ファイバ、シングルモード光ファイバ、レンズ付偏波保持シングルモードファイバ、レンズ付シングルモードファイバ、マルチモードファイバ、およびレンズ付マルチモードファイバ、からなる群から選択されることを特徴とするウエハ−レベルテスト配列。
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
通信リンクにより第１のエンティティと第２のエンティティとの間を流れるデータを暗号化するための秘密鍵を使用するセキュア・データ通信を容易にするための方法であって、前記通信リンクがアイドルであったと判断するステップと、
以前アイドルであった前記通信リンクにより流すべきデータが存在すると判断するステップと、
以前アイドルであった前記通信リンクにより流すべきデータが存在すると判断したことに応答して、前記通信リンクにより前記第１のエンティティと前記第２のエンティティとの間で送信されたデータを暗号化するための新しい秘密鍵の生成を開始するステップと
を含む方法。
【請求項２】
事前構成された量のデータが前記通信リンクにより送信された時期を決定するステップと、
事前構成された量のデータが前記通信リンクにより送信されたと判断したことに応答して、新しい秘密鍵の生成を開始するステップと
を更に含む、請求項１に記載の方法。
【請求項３】
前記通信リンクがアイドルであったと判断する前記ステップが、少なくとも所定時間、前記通信リンクがアイドルであったと判断するステップを含む、請求項１または２に記載の方法。
【請求項４】
以前アイドルであった前記通信リンクにより流すべきデータが存在すると判断したことに応答して、新しい秘密鍵の生成を開始する前記ステップが、少なくとも前記所定時間、前記リンクがアイドルであったと判断したことに応答して、新しい秘密鍵の生成を開始するステップを含む、請求項３に記載の方法。
【請求項５】
所定時間、前記通信リンクがアイドルであったと判断したことに応答して、ハートビートにより、前記第１のエンティティが依然として存在することを前記第２のエンティティに通知するステップを更に含む、請求項３に記載の方法。
【請求項６】
前記第１のエンティティからのハートビートの受信を確認する応答を前記第２のエンティティから受信するステップを更に含む、請求項５に記載の方法。
【請求項７】
所定時間内にハートビートの受信の確認を受信しなかったことに応答して、前記第１のエンティティによる前記第２のエンティティとの通信を終了するステップを更に含む、請求項５または６に記載の方法。
【請求項８】
所定時間内にハートビートの受信の確認を受信しなかったことに応答して、前記第１のエンティティにより前記第２のエンティティへデータの伝送を許可する前に、新しい秘密鍵の生成を開始するステップを含む、請求項５または６に記載の方法。
【請求項９】
前記通信リンクがアイドルであったと判断する前記ステップが、前記第１のエンティティにより前記第２のエンティティにハートビートを送信させるのに十分なほど前記通信リンクがアイドルであったと判断するステップを含む、請求項５ないし７のいずれかに記載の方法。
【請求項１０】
以前アイドルであった前記通信リンクにより流すべきデータが存在すると判断したことに応答して、新しい秘密鍵の生成を開始する前記ステップが、前記第１のエンティティにより前記第２のエンティティにハートビートを送信させるのに十分なほど前記リンクがアイドルであったと判断したことに応答して、新しい秘密鍵の生成を開始するステップを含む、請求項９に記載の方法。
【請求項１１】
新しい秘密鍵の前記生成の開始前に、少なくとも前記第２のエンティティの認証を開始するステップを含む、請求項１ないし１０のいずれかに記載の方法。
【請求項１２】
新しい秘密鍵の前記生成が、前記第１のエンティティと前記第２のエンティティとの間で実行された交渉プロセスの結果として行われる、請求項１ないし１１のいずれかに記載の方法。
【請求項１３】
通信リンクにより第１のエンティティと第２のエンティティとの間を流れるデータを暗号化するための秘密鍵を使用するセキュア・データ通信を容易にするための方法であって、前記通信リンクがアイドルであったと判断するステップと、
前記通信リンクがアイドルであったと判断したことに応答して、前記秘密鍵で暗号化されたデータを無視するステップとを含む方法。
【請求項１４】
新たに生成された秘密鍵で暗号化された後続データのみを受け入れるステップを更に含む、請求項１３に記載の方法。
【請求項１５】
前記通信リンクがアイドルであったと判断する前記ステップが、少なくとも所定時間、前記通信リンクがアイドルであったと判断するステップを含む、請求項１３または１４に記載の方法。
【請求項１６】
少なくとも所定時間、前記通信リンクがアイドルであったと判断する前記ステップが、前記第１のエンティティからのハートビートの受信により、少なくとも所定時間、前記通信リンクがアイドルであったと判断するステップを含む、請求項１５に記載の方法。
【請求項１７】
少なくとも所定時間、前記通信リンクがアイドルであり、ハートビートが前記第１のエンティティからまったく受信されていないと判断したことに応答して、前記第１のエンティティとの通信を終了するステップを更に含む、請求項１５または１６に記載の方法。
【請求項１８】
少なくとも所定時間、前記通信リンクがアイドルであり、ハートビートが前記第１のエンティティからまったく受信されていないと判断したことに応答して、新たに生成された秘密鍵で暗号化された後続データのみを受け入れるステップを含む、請求項１５または１６に記載の方法。
【請求項１９】
通信リンクにより第１のエンティティと第２のエンティティとの間を流れるデータを暗号化するための秘密鍵を使用するセキュア・データ通信を容易にするための装置であって、前記通信リンクがアイドルであったと判断するための手段と、
以前アイドルであった通信リンクにより流すべきデータが存在すると判断するための手段と、
以前アイドルであった通信リンクにより流すべきデータが存在すると判断したことに応答して、前記通信リンクにより前記第１のエンティティと前記第２のエンティティとの間で送信されたデータを暗号化するための新しい秘密鍵の生成を開始するための手段と
を含む装置。
【請求項２０】
通信リンクにより第１のエンティティと第２のエンティティとの間を流れるデータを暗号化するための秘密鍵を使用するセキュア・データ通信を容易にするための装置であって、前記通信リンクがアイドルであったと判断するための手段と、前記通信リンクがアイドルであったと判断したことに応答して、前記秘密鍵で暗号化されたデータを無視するための手段とを含む装置。
【請求項２１】
コンピュータ上で実行されるときに請求項１ないし１８のいずれかに記載の前記方法を実行するように適合されたプログラム・コードを含むコンピュータ・プログラム。
【請求項２２】
コンピュータ上で実行されるときに請求項１ないし１８のいずれかに記載の前記方法を実行するように適合されたプログラム・コードを含むコンピュータ・プログラムを記憶するコンピュータ可読記憶媒体。